【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
基板、第１電極、発光層を含む一層以上の有機層膜、および第２電極を含む有機発光素子において、前記発光素子は被覆層をさらに有し、前記被覆層は低屈折層を含み、前記低屈折層材料は有機小分子化合物であり、前記低屈折層材料はホウ素配位化合物を含有することを特徴とする有機発光素子。
【請求項２】
前記被覆層は第２電極上にあり、前記被覆層は高屈折層および低屈折層を含むことを特徴とする請求項１に記載の有機発光素子。
【請求項３】
前記高屈折層の屈折率は１．８以上であり、前記低屈折層の屈折率は１．５−１．７であることを特徴とする請求項２に記載の有機発光素子。
【請求項４】
前記高屈折層の屈折率と前記低屈折層の屈折率との差は０．３以上であることを特徴とする請求項２に記載の有機発光素子。
【請求項５】
前記高屈折層材料は無機化合物と有機化合物の中の少なくとも１種であり、前記無機化合物はＳｉＯｘ、ＳｉＮｙ、ＺｎＳ、ＺｎＳｅ、ＺｒＯまたはＴｉＯ２の中の１種または多種であり、前記ｘ，ｙは１〜４の整数であり、前記有機化合物は芳香族アミン誘導体、カルバゾール誘導体、ベンズイミダゾール誘導体またはトリアゾール誘導体の中の１種または多種であることを特徴とする請求項１または２に記載の有機発光素子。
【請求項６】
前記ホウ素配位化合物は下式１に示すように、
【化１】
2021504876.tif 000001
式１
ただし、Ｒ１〜Ｒ４は同じまたは異なって、それぞれ独立に水素、重水素、置換されていても良いアルキル基、置換されていても良いシクロアルキル基、置換されていても良い複素環基、置換されていても良いアルケニル基、置換されていても良いシクロアルケニル基、置換されていても良いアルキニル基、置換されていても良いアルコキシ基、置換されていても良いアルキルチオ基、置換されていても良いアリールエーテル基、置換されていても良いアリールスルフィド基、置換されていても良いアリール基、置換されていても良いヘテロアリール基、置換されていても良いカルボニル基、置換されていても良いカルボキシル基、置換されていても良いオキシカルボニル基、置換されていても良いカルバモイル基、置換されていても良いアルキルアミノ基または置換されていても良いシラニル基の中の１種または多種から選ばれ、Ｒ５〜Ｒ６は同じまたは異なって、それぞれ独立にフッ素、アルコキシ基、アリールエーテル基またはアリール基の中の１種から選ばれ、Ｒ１〜Ｒ２を結合して環を形成してもよく、
前記置換される場合には、置換基はそれぞれ独立に重水素、ハロゲン、Ｃ１−Ｃ１５のアルキル基、Ｃ３−Ｃ１５のシクロアルキル基、Ｃ３−Ｃ１５の複素環基、Ｃ２−Ｃ１５のアルケニル基、Ｃ４−Ｃ１５のシクロアルケニル基、Ｃ２−Ｃ１５のアルキニル基、Ｃ１−Ｃ１５のアルコキシ基、Ｃ１−Ｃ１５のアルキルチオ基、Ｃ６−Ｃ５５のアリールエーテル基、Ｃ６−Ｃ５５のアリールスルフィド基、Ｃ６−Ｃ５５のアリール基、Ｃ５−Ｃ５５の芳香族複素環基、カルボニル基、カルボキシル基、オキシカルボニル基、カルバモイル基、Ｃ１−Ｃ４０のアルキルアミノ基またはＣ３−Ｃ１５のケイ素原子数が１−５のシラニル基の中の１種または多種から選ばれることを特徴とする請求項１に記載の有機発光素子。
【請求項７】
Ｒ５〜Ｒ６はフッ素であることを特徴とする請求項６に記載の有機発光素子。
【請求項８】
前記ホウ素配位化合物は下式２に示すように、
【化２】
2021504876.tif 000002
式２  
ただし、Ｒ７〜Ｒ１４は同じまたは異なって、それぞれ独立に水素、重水素、置換されていても良いアルキル基、置換されていても良いシクロアルキル基、置換されていても良い複素環基、置換されていても良いアルケニル基、置換されていても良いシクロアルケニル基、置換されていても良いアルキニル基、置換されていても良いアルコキシ基、置換されていても良いアルキルチオ基、置換されていても良いアリールエーテル基、置換されていても良いアリールスルフィド基、置換されていても良いアリール基、置換されていても良いヘテロアリール基、置換されていても良いカルボニル基、置換されていても良いカルボキシル基、置換されていても良いオキシカルボニル基、置換されていても良いカルバモイル基、置換されていても良いアルキルアミノ基または置換されていても良いシラニル基の中の１種または多種から選ばれ、Ｒ１３〜Ｒ１４を結合して環を形成してもよく、Ｒ１５〜Ｒ１８は同じまたは異なって、それぞれ独立にフッ素、アルコキシ基、アリールエーテル基またはアリール基の中の１種から選ばれ、ｎは１−３の整数であり、Ｒ７〜Ｒ８を結合して環を形成してもよく、Ｒ１０〜Ｒ１１を結合して環を形成してもよく、
前記置換される場合には、置換基はそれぞれ独立に重水素、ハロゲン、Ｃ１−Ｃ１５のアルキル基、Ｃ３−Ｃ１５のシクロアルキル基、Ｃ３−Ｃ１５の複素環基、Ｃ２−Ｃ１５のアルケニル基、Ｃ４−Ｃ１５のシクロアルケニル基、Ｃ２−Ｃ１５のアルキニル基、Ｃ１−Ｃ１５のアルコキシ基、Ｃ１−Ｃ１５のアルキルチオ基、Ｃ６−Ｃ５５のアリールエーテル基、Ｃ６−Ｃ５５のアリールスルフィド基、Ｃ６−Ｃ５５のアリール基、Ｃ５−Ｃ５５の芳香族複素環基、カルボニル基、カルボキシル基、オキシカルボニル基、カルバモイル基、Ｃ１−Ｃ４０のアルキルアミノ基またはＣ３−Ｃ１５のケイ素原子数が１−５のシラニル基の中の１種または多種から選ばれることを特徴とする請求項６に記載の有機発光素子。
【請求項９】
Ｒ１５〜Ｒ１８はフッ素であることを特徴とする請求項８に記載の有機発光素子。
【請求項１０】
前記ホウ素配位化合物は下式３に示すように、
【化３】
2021504876.tif 000003
式３
ただし、Ｒ１９〜Ｒ３０は同じまたは異なって、それぞれ独立に水素、重水素、置換されていても良いアルキル基、置換されていても良いシクロアルキル基、置換されていても良い複素環基、置換されていても良いアルケニル基、置換されていても良いシクロアルケニル基、置換されていても良いアルキニル基、置換されていても良いアルコキシ基、置換されていても良いアルキルチオ基、置換されていても良いアリールエーテル基、置換されていても良いアリールスルフィド基、置換されていても良いアリール基、置換されていても良いヘテロアリール基、置換されていても良いカルボニル基、置換されていても良いカルボキシル基、置換されていても良いオキシカルボニル基、置換されていても良いカルバモイル基、置換されていても良いアルキルアミノ基または置換されていても良いシラニル基の中の１種または多種から選ばれ、Ｒ２９〜Ｒ３０を結合して環を形成してもよく、Ｒ３１〜Ｒ３４は同じまたは異なって、それぞれ独立にフッ素、アルコキシ基、アリールエーテル基またはアリール基の中の１種から選ばれ、ｎは１−３の整数であり、
前記置換される場合には、置換基はそれぞれ独立に重水素、ハロゲン、Ｃ１−Ｃ６のアルキル基、Ｃ３−Ｃ６のシクロアルキル基、Ｃ３−Ｃ６の複素環基、Ｃ２−Ｃ６のアルケニル基、Ｃ４−Ｃ６のシクロアルケニル基、Ｃ２−Ｃ６のアルキニル基、Ｃ１−Ｃ６のアルコキシ基またはＣ１−Ｃ６のアルキルチオ基の１種または多種から選ばれることを特徴とする請求項８に記載の有機発光素子。
【請求項１１】
Ｒ１９〜Ｒ２２およびＲ２４〜Ｒ２７の中に少なくとも三つ以上が水素ではないことを特徴とする請求項１０に記載の有機発光素子。
【請求項１２】
Ｒ３１〜Ｒ３４はフッ素であることを特徴とする請求項１０に記載の有機発光素子。
【請求項１３】
ｎは１であることを特徴とする請求項８−１０のいずれか一項に記載の有機発光素子。